(57)【特許請求の範囲】
【請求項１】
移動局が、第１のプロトコルにより動作する第１のセルラアクセスネットワークが異なる第２のプロトコルにより動作する第２のセルラアクセスネットワークと相互作用できることを示すインジケータを含む前記第１のセルラアクセスネットワークからの制御メッセージを受信する段階と、
前記移動局が、前記インジケータを受信すると、前記第２のセルラアクセスネットワークとの相互作用を可能にする前記第１のセルラアクセスネットワークの機能を移動局に使用させる構成を指定する、移動局のパーソナリティを確立する手順を実行する段階と、を有し、前記パーソナリティを確立する手順は前記第１のセルラアクセスネットワークとのセッション構成手順を含み、前記パーソナリティは前記移動局と前記第１のセルラアクセスネットワークとの間の通信に用いるプロトコルタイプと属性値とを画定する方法。
【請求項２】
前記移動局が、前記第２のセルラアクセスネットワークとの相互作用をサポートしない第３のプロトコルによる第３のセルラアクセスネットワークから、前記第１のセルラアクセスネットワークに移行する段階をさらに有し、前記インジケータを受信する段階は前記移行する段階の後である、請求項１に記載の方法。
【請求項３】
前記制御メッセージは、さらに、前記第２のセルラアクセスネットワークと相互作用できる他の第１のセルラアクセスネットワークの存在を示す別のインジケータを含む、請求項１に記載の方法。
【請求項４】
前記制御メッセージを受信する段階は、ブロードキャストされたオーバーヘッドメッセージを受信する段階を有する、請求項１に記載の方法。
【請求項５】
前記ブロードキャストされたオーバーヘッドメッセージはＱｕｉｃｋＣｏｎｆｉｇメッセージとＳｅｃｔｏｒＰａｒａｍｅｔｅｒｓメッセージとのうち一方である、請求項４に記載の方法。
【請求項６】
前記第１のセルラアクセスネットワークはｅＨＲＰＤ（Evolved  High  Rate  Packet  Data）アクセスネットワークである、請求項１に記載の方法。
【請求項７】
前記第２のセルラアクセスネットワークはＥＵＴＲＡ（Evolved  Universal  Terrestrial  Radio  Access）アクセスネットワークである、請求項６に記載の方法。
【請求項８】
第１のセルラアクセスネットワークが移動局に、第１のプロトコルにより動作する一セルラアクセスネットワークが異なる第２のプロトコルにより動作する第２のセルラアクセスネットワークと相互作用できることを示すインジケータを含む前記一セルラアクセスネットワークからの制御メッセージを送信する段階を有し、
前記インジケータにより前記移動局は、前記第２のセルラアクセスネットワークとの相互作用を可能にする前記一セルラアクセスネットワークの機能を、前記移動局に利用させるパーソナリティを確立でき、前記パーソナリティを確立する手順は前記一セルラアクセスネットワークとのセッション構成手順を含み、前記パーソナリティは前記移動局と前記一セルラアクセスネットワークとの間の通信に用いるプロトコルタイプと属性値とを画定する、方法。
【請求項９】
前記一セルラアクセスネットワークは前記第１のセルラアクセスネットワークである、請求項８に記載の方法。
【請求項１０】
前記第１のセルラアクセスネットワークが、前記移動局と協力して前記パーソナリティを確立する段階をさらに有する、請求項９に記載の方法。
【請求項１１】
前記一セルラアクセスネットワークは前記第１のセルラアクセスネットワークとは異なる、請求項８に記載の方法。
【請求項１２】
前記制御メッセージを送信する段階は、オーバーヘッドメッセージをブロードキャストする段階を有する、請求項８に記載の方法。
【請求項１３】
前記第１のプロトコルはｅＨＲＰＤ（Evolved  High  Rate  Packet  Data）プロトコルである、請求項８に記載の方法。
【請求項１４】
前記第２のプロトコルはＥＵＴＲＡ（Evolved  Universal  Terrestrial  Radio  Access）プロトコルである、請求項８に記載の方法。
【請求項１５】
無線リンクとのインタフェースと、
少なくとも１つのプロセッサであって、
第１のプロトコルにより動作する第１のセルラアクセスネットワークが異なる第２のプロトコルにより動作する第２のセルラアクセスネットワークと相互作用できることを示す前記第１のセルラアクセスネットワークからのインジケータを含む制御メッセージを受信し、
前記指標を受信すると、前記第２のセルラアクセスネットワークとの相互作用を可能にする前記第１のセルラアクセスネットワークの機能を前記移動局に使用させる設定を指定する、前記移動局のパーソナリティを確立する手順を実行し、前記パーソナリティを確立する手順は前記第１のセルラアクセスネットワークとのセッション構成手順を含み、前記パーソナリティは前記移動局と前記第１のセルラアクセスネットワークとの間の通信に用いるプロトコルタイプと属性値とを画定する、少なくとも１つのプロセッサとを有する、移動局。
【請求項１６】
前記制御メッセージの受信は、前記移動局が第３のセルラアクセスネットワークから前記第１のセルラアクセスネットワークに移動した後であり、前記第３のセルラアクセスネットワークは、前記第２のセルラアクセスネットワークとの相互作用をサポートしていない第３のプロトコルによる、請求項１５に記載の移動局。
【請求項１７】
前記第１のセルラアクセスネットワークはｅＨＲＰＤアクセスネットワークである、請求項１５に記載の移動局。
【請求項１８】
前記第２のセルラアクセスネットワークはＥＵＴＲＡ（Evolved  Universal  Terrestrial  Radio  Access）アクセスネットワークである、請求項１５に記載の移動局。
【請求項１９】
無線リンクとのインタフェースと、
少なくとも１つのプロセッサであって、
移動局に、第１のプロトコルにより動作する一セルラアクセスネットワークが異なる第２のプロトコルにより動作する第２のセルラアクセスネットワークと相互作用できることを示すインジケータを含む制御メッセージを送信するように構成された少なくとも１つのプロセッサとを有し、
前記インジケータにより前記移動局は、前記第２のセルラアクセスネットワークとの相互作用を可能にする前記一セルラアクセスネットワークの機能を、前記移動局に利用させるパーソナリティを確立でき、前記パーソナリティを確立することは前記一セルラアクセスネットワークとのセッション構成手順を含み、前記パーソナリティは前記移動局と前記一セルラアクセスネットワークとの間の通信に用いるプロトコルタイプと属性値とを有し、
前記基地局は前記一セルラネットワークの一部である、
基地局。
【請求項２０】
前記一セルラアクセスネットワークはｅＨＲＰＤ（Evolved  High  Rate  Packet  Data）アクセスネットワークであり、前記第２のセルラアクセスネットワークはＥＵＴＲＡ（Evolved  Universal  Terrestrial  Radio  Access）ネットワークである、請求項１９に記載の基地局。
【発明の詳細な説明】
【背景技術】
【０００１】
移動局が他の移動局と又は有線ネットワークに結合した有線局と通信できるようにする様々な無線アクセス技術が提案され又は実施されている。無線アクセス技術の例としては、３ＧＰＰ（Third  Generation  Partnership  Project）により規定されたＧＳＭ（Global  System  for  Mobile  communications）やＵＭＴＳ（Universal  Mobile  Telecommunications  System）、３ＧＰＰ２により規定されたＣＤＭＡ２０００（Code  Division  Multiple  Access  ２０００）などがある。ＣＤＭＡ２０００は、ＨＲＰＤ（High  Rate  Packet  Data）無線アクセスネットワークと呼ばれるパケット交換無線アクセスネットワークを規定している。
【０００２】
パケット交換無線アクセスを提供する、より最近の標準は、３ＧＰＰのＬＴＥ（Long  Term  Evolution）標準であり、これはＵＭＴＳテクノロジーの改良を目的としたものである。ＬＴＥ標準はＥＵＴＲＡ（Evolved  Universal  Terrestrial  Radio  Access）標準とも呼ばれる。ＥＵＴＲＡテクノロジーは第４世代（４Ｇ）技術であると考えられ、無線ネットワーク事業者はより良いサービスを提供するため、これに向けて進化している。
【発明の概要】
【課題を解決するための手段】
【０００３】
概して、実施形態による方法は、移動局が、第１のプロトコルにより動作する第１のアクセスネットワークであって、異なる第２のプロトコルにより動作する第２のアクセスネットワークと相互作用できる前記第１のアクセスネットワークの存在を示すインジケータを含む制御メッセージを受信する段階を有する。前記移動局は、前記インジケータを受信すると、前記第２のアクセスネットワークとの相互作用を可能にする前記第１のアクセスネットワークの機能を前記移動局に使用させる構成を指定する、前記移動局のパーソナリティを確立する手順を実行する。
【０００４】
その他の特徴や代替的な特徴は、以下の明細書、図面、及び特許請求の範囲から明らかになる。
【図面の簡単な説明】
【０００５】
一部の実施形態を以下の図面を参照して説明する。
【図１】一部の実施形態を組み込むことができる、異なるタイプの無線アクセスネットワークを含む構成例を示すブロック図である。
【図２】一部の実施形態による、移動局により実行されるプロセスを示すフロー図である。
【図３】一部の実施形態による、無線アクセスネットワークの基地局により実行されるプロセスを示すフロー図である。
【図４】一部の実施形態による、無線局を示すブロック図である。
【発明を実施するための形態】
【０００６】
無線ネットワーク事業者は第４世代（４Ｇ）無線ネットワークに進化しつつある。かかるタイプの４Ｇ無線ネットワークは、３ＧＰＰ（Third  Generation  Partnership  Project）により規定されたＬＴＥ（Long  Term  Evolution）無線ネットワークである。ＬＴＥ標準はＥＵＴＲＡ（Evolved  Universal  Terrestrial  Radio  Access）標準とも呼ばれる。
【０００７】
３ＧＰＰ２が規定したＨＲＰＤ（High  Rate  Packet  Data）テクノロジーなどのＣＤＭＡ（Code  Division  Multiple  Access）２０００テクノロジーから、ＥＵＴＲＡテクノロジーへの進化には、様々な困難がある。ＨＲＰＤからＥＵＴＲＡへの進化を可能にする技術では、ｅＨＲＰＤ（evolved  HRPD）テクノロジーを利用する。ｅＨＲＰＤ無線アクセスネットワークはＥＵＴＲＡ無線アクセスネットワークと相互作用（interwork）できる。ｅＨＲＰＤテクノロジーをサポートする移動局は、ｅＨＲＰＤアクセスネットワークとＥＵＴＲＡアクセスネットワーク間でハンドオフできる。また、ｅＨＲＰＤをサポートする移動局は、ＥＵＴＲＡアクセスネットワークまたはｅＨＲＰＤアクセスネットワークのいずれかでセル再選択（cell  re-selection）を実行できる。無線プロトコルが異なると、ＯＦＤＭ（orthogonal  frequency  division  multiplexing）変調、ＧＭＳＫ（Gaussian  minimum  shift  keying）変調、８ＰＳＫ（８  phase-shift  keying）変調、及びＣＤＭＡ変調など、異なる無線通信の変調タイプが用いられる。
【０００８】
無線ネットワークプロバイダが維持する移動通信死して有無は、すべてのＨＲＰＤアクセスネットワークにｅＨＲＰＤ機能を実装するとは限らない。言い換えると、あるＨＲＰＤカバレッジエリア内のＨＲＰＤアクセスネットワークでは、ｅＨＲＰＤを使える（これらのアクセスネットワークをｅＨＰＲＤアクセスネットワークと呼ぶ）が、そのＨＲＰＤカバレッジエリア内の別のＨＲＰＤアクセスネットワークでは、ｅＨＲＰＤ機能がサポートされていない（これらのアクセスネットワークをＨＰＲＤアクセスネットワークと呼ぶ）。例えば、ＥＵＴＲＡカバレッジエリアと重なるＨＲＰＤセルは、またはＥＵＴＲＡカバレッジエリアに隣接するＨＲＰＤセルは、ｅＨＲＰＤアクセスネットワークを利用することが可能である。
【０００９】
移動局がＨＲＰＤアクセスネットワークからｅＨＲＰＤアクセスネットワークに移行するとき、従来のメカニズムでは、ｅＨＲＰＤパーソナリティ（personality）を確立するセッションネゴシエーション手順を開始する効率的な技術を提供できない。例えば、移動局が、通常のＨＲＰＤアクセスネットワークにおいて電源が入れられ、その後にｅＨＲＰＤアクセスネットワークに移動することがある。ｅＨＲＰＤパーソナリティは、移動局に、ＥＵＴＲＡネットワークとの相互作用を可能にするｅＨＲＰＤアクセスネットワークの機能を利用させる構成（configuration）を含む。パーソナリティは、移動局とアクセスネットワークとの間の通信に使われる、（利用するプロトコルのタイプを特定する）プロトコルタイプと、属性値（通信に関連する所定属性の値）とを含む。ｅＨＲＰＤパーソナリティは、移動局がｅＨＲＰＤ機能を用いることができるようにするｅＨＲＰＤテクノロジーに関連するプロトコルタイプと属性値とを含む。移動局は、ｅＨＲＰＤパーソナリティを確立しないと、ｅＨＲＰＤ機能を使用できない。
【００１０】
一部の実施形態では、ｅＨＲＰＤ機能を有する移動局にそれがｅＨＲＰＤアクセスネットワーク内にいることを効率的に判断させるメカニズムや技術を提供する。これは、移動局に、ｅＨＲＰＤ機能を有する１つ以上のアクセスネットワークのインジケータを含む制御メッセージを送ることにより実現できる。この制御メッセージは、その移動局が移行したｅＨＲＰＤアクセスネットワークにより送ることができる。この場合、制御メッセージ中のインジケータは、その移動局が移行したｅＨＲＰＤアクセスネットワークがｅＨＲＰＤ機能を有することを示すインジケータである。あるいは、移動局は、その移動局が現在いるアクセスネットワークのどの近傍アクセスネットワーク（neighbors）がｅＨＲＰＤ機能を有するかに関する情報を提供できる。後者の場合、制御メッセージは、移動局が現在いるアクセスネットワークのどの近傍アクセスネットワークがｅＨＲＰＤ機能を有するかに関する複数のインジケータを含むこともある。
【００１１】
移動局は、ｅＨＲＰＤ機能を有するアクセスネットワークにいると判断すると、ｅＨＲＰＤパーソナリティネゴシエーションを実行し、その移動局のための固有の（specific）ｅＨＲＰＤパーソナリティを確立することができる。
【００１２】
ＨＲＰＤ、ｅＨＲＰＤ、及びＥＵＴＲＡを参照して説明するが、留意点として、より一般的に、移動局は、第２のアクセスネットワークと相互作用できる第１のアクセスネットワークがあることを示すインジケータを含む制御メッセージを受信できる。ここで、第１のアクセスネットワークは第１のプロトコルにより動作し、第２のアクセスネットワークは、第１のプロトコルとは異なる第２のプロトコルにより動作する。移動局は、インジケータを受信すると、第２のアクセスネットワークとの相互作用を可能にする第１のアクセスネットワークの機能を移動局に使用させる構成（configuration）を指定する、移動局のパーソナリティを確立する手順を実行する。一部の実施形態による技術は、例えば、ＩＥＥＥ８０２．１６が規定するＷｉＭＡＸ（Worldwide  Interoperability  for  Microwave  Access）、ＩＥＥＥ８０２．１１が規定するＷｉＦｉ、その他のタイプのアクセスネットワークに適用できる。
【００１３】
図１は、ＥＵＴＲＡアクセスネットワーク１０２、ＨＲＰＤアクセスネットワーク１０４、及びｅＨＲＰＤアクセスネットワーク１０６を含む、異なるタイプのアクセスネットワークを含む構成例を示す。図１には、ＥＵＴＲＡアクセスネットワーク１０２とＨＲＰＤアクセスネットワーク１０４とｅＨＲＰＤアクセスネットワーク１０６を１つずつしか示していないが、一般的には、複数のＥＵＴＲＡアクセスネットワーク、複数のＨＲＰＤアクセスネットワーク、及び複数のｅＨＲＰＤアクセスネットワーク１０６があってもよい。ここで用いる「アクセスネットワーク」や「無線アクセスネットワーク」との用語は、移動局が、パケットデータネットワーク１１６などである目的ネットワーク（target  network）において提供されるサービスにアクセスするために、そのアクセスネットワークを介して無線接続できる機器を言う。
【００１４】
ＥＵＴＲＡテクノロジーによると、ＥＵＴＲＡアクセスネットワーク１０２は、基地局の１タイプである拡張されたノードＢ（ｅＮｏｄｅＢ）を含む。ＨＲＰＤアクセスネットワーク１０４は、ＨＲＰＤ基地局を含み、ｅＨＲＰＤアクセスネットワーク１０６はｅＨＲＰＤ基地局を含む。基地局は以下のタスクを実行する：無線リソース管理、移動局のモビリティを管理するモビリティ管理、トラフィックのルーティングなど。一般的に、「基地局」との用語は、任意のタイプの無線ネットワークにおいて使用されるセルラーネットワーク基地局またはアクセスポイントを言い、または移動局と通信する任意のタイプの無線送受信器を言う。「基地局」との用語は、基地局コントローラや無線ネットワークコントローラなどの関連コントローラも含み得る。「基地局」との用語は、フェムト基地局またはアクセスポイント、マイクロ基地局またはアクセスポイント、またはピコ基地局またはアクセスポイントのことも言う。「移動局」は電話ハンドセット、ポータブルコンピュータ、パーソナルデジタルアシスタント（ＰＤＡ）、またはヘルスモニタや防犯ブザー（attack  alarm）などの組み込みデバイスを言う。
【００１５】
図１に示したように、ＥＵＴＲＡネットワーク１００において、移動局１０８はＥＵＴＲＡアクセスネットワーク１０２に無線接続する。ＥＵＴＲＡアクセスネットワーク１０２は、サービングゲートウェイ１１０とモビリティ管理エンティティ（ＭＭＥ）１１２とを含む様々なコンポーネントに接続されている。ＭＭＥ１１２はＥＵＴＲＡアクセスネットワーク１０２の制御ノードである。例えば、ＭＭＥ１１２は、アイドルモードの移動局の追跡とページング手順の役割を果たす。ＭＭＥ１１２は、イニシャルアタッチ（initial  attach）とハンドオーバーの時に、移動局のためのサービングゲートウェイを選択する役割も果たす。ＭＭＥ１１２は移動局のユーザの認証の役割も果たす。
【００１６】
サービングゲートウェイ１１０はベアラデータパケットをルーティングする。サービングゲートウェイ１１０は、異なるアクセスネットワーク間でのハンドオーバーの時に、ユーザプレーンのモビリティアンカーとしても機能する。サービングゲートウェイ１１０は、移動局１０８とパケットデータネットワーク１１６（インターネットや様々なサービスを提供するネットワークなど）との間を接続するパケットデータネットワーク（ＰＤＮ）ゲートウェイ１１４にも接続されている。
【００１７】
ＨＲＰＤネットワーク１０１では、移動局１１８はＨＲＰＤアクセスネットワーク１０４と無線接続されている。ＨＲＰＤアクセスネットワーク１０４は、パケットデータサービングノード（ＰＤＳＮ）１２０に接続され、ＰＤＳＮ１２０はパケットデータネットワーク１１６に接続されている。
【００１８】
また、ＨＲＰＤネットワーク１０１とＥＵＴＲＡネットワーク１００との相互作用を可能とするため、移動局１２２に無線接続されたｅＨＲＰＤアクセスネットワーク１０６が設けられている。ｅＨＲＰＤアクセスネットワーク１０６は、ＨＲＰＤサービングゲートウェイ（ＨＳＧＷ）１２４に接続されている。ＨＳＧＷ１２４は、ｅＨＲＰＤアクセスネットワーク１０６からのｅＨＲＰＤアクセスネットワークインタフェースを終端するエンティティである。ＨＳＧＷ１２４は、移動局発の、または移動局宛のパケットデータトラフィックをルーティングする。ＨＳＧＷ１２４は、移動局にＥＵＴＲＡネットワーク１００との相互作用（interworking）を提供する。相互作用機能には、モビリティのサポート、ポリシー管理と課金、アクセス認証、ローミングなどが含まれる。ＨＳＧＷ１２４は、ＥＵＴＲＡネットワーク１００とｅＨＲＰＤアクセスネットワーク１０６との間のシームレスなテクノロジー間モビリティトランスファ（mobility  transfer）をサポートする。
【００１９】
ＥＵＴＲＡ、ＨＲＰＤ、及びｅＨＲＰＤ標準を参照したが、現在の標準及び時間的に進化する標準を参照するためである。ＥＵＴＲＡ、ＨＲＰＤ、またはｅＨＲＰＤから進化する将来の標準は、別の名称で呼ばれる可能性もある。「ＥＵＴＲＡ」、「ＨＲＰＤ」、または「ｅＨＲＰＤ」と言うとき、かかる進化した標準も含むものである。また、上記の通り、技術やメカニズムは、他のタイプの無線プロトコルを利用するシステムにも適用できる。
【００２０】
図２は、移動局により実行されるプロセスを示すフロー図である。移動局は、ｅＨＲＰＤアクセスネットワーク１０６などのアクセスネットワークがｅＨＲＰＤの機能を有することを示す、ｅＨＲＰＤ機能インジケータ（eHRPD  capable  indicator）を含む制御メッセージを受信する（ステップ２０２）。移動局が受信する制御メッセージは、制御チャネルを介してアクセスネットワークによりブロードキャストされるオーバーヘッドメッセージであってもよい。１タイプのオーバーヘッドメッセージはＨＲＰＤ  ＱｕｉｃｋＣｏｎｆｉｇメッセージである。他のオーバーヘッドメッセージの例はＳｅｃｔｏｒＰａｒａｍｅｔｅｒｓメッセージである。ＱｕｉｃｋＣｏｎｆｉｇメッセージを用いて、オーバーヘッドメッセージのコンテンツにおける変化を示す。ＳｅｃｔｏｒＰａｒａｍｅｔｅｒｓメッセージを用いて、移動局にセクター固有情報（sector  specific  information）を送る。他の実施形態では、他のタイプの制御メッセージを用いて、あるアクセスネットワークがｅＨＲＰＤ機能を有することを通知する。また、メッセージをブロードキャストするのではなく、ｅＨＲＰＤ機能インジケータを含む制御メッセージは、ある移動局に宛てたメッセージであってもよい。
【００２１】
制御メッセージは、移動局が現在アタッチ（attach）されているアクセスネットワークがｅＨＲＰＤ機能アクセスネットワークであるかどうかを示すだけでもよい。あるいは、制御メッセージは、ｅＨＲＰＤ機能を有する近傍アクセスネットワークを含む一組のアクセスネットワークを示してもよい。後者のシナリオでは、制御メッセージに、複数のアクセスネットワークのうちどれがｅＨＲＰＤ機能を有するか示す複数のインジケータを設ける。このように、移動局は、新しいｅＨＲＰＤアクセスネットワーク１０６にスイッチするとき、その新しいｅＨＲＰＤアクセスネットワーク１０６がｅＨＲＰＤ機能を有することを知っている。
【００２２】
移動局は、ｅＨＲＰＤインジケータに応じて、ｅＨＲＰＤ機能アクセスネットワークにアタッチすると、その移動局のためのｅＨＲＰＤパーソナリティを確立する手順を実行する（ステップ２０４）。一部の実施例では、ｅＨＲＰＤパーソナリティを確立する手順は、セッション構成手順であってもよい。
【００２３】
移動局は、その移動局のためのｅＨＲＰＤパーソナリティが確立されると、ＥＵＴＲＡネットワーク１００との相互作用を可能とするｅＨＲＰＤ機能アクセスネットワーク（例えば、ｅＨＲＰＤアクセスネットワーク１０６）の機能を利用することができる。
【００２４】
図３は、一部の実施形態による、アクセスネットワークにより実行されるプロセスを示すフロー図である。例えば、図３の手順は、図１のｅＨＲＰＤアクセスネットワーク１０６により実行できる。アクセスネットワークは、アクセスネットワークがｅＨＲＰＤをサポートできることを示すｅＨＲＰＤ機能インジケータを含む制御メッセージを送信する（ステップ３０２）。あるいは、制御メッセージは、それぞれのアクセスネットワークがｅＨＲＰＤ機能を有していることを示す複数のｅＨＲＰＤ機能インジケータ（eHRPD  capable  indicators）を含んでいてもよい。アクセスネットワークは、移動局により開始された手順に応じて、移動局と協力して、その移動局のためのｅＨＲＰＤパーソナリティを確立する（ステップ３０４）。
【００２５】
図４は、無線局４００を示すブロック図である。この無線局は、移動局（例えば、図１の移動局１０８、１１８、または１２２）であってもよいし、または基地局（図１のｅＮｏｄｅＢ、ＨＲＰＤ基地局、またはｅＨＲＰＤ基地局）であってもよい。無線局４００はプロセッサ（または複数のプロセッサ）４０２を含み、プロセッサは記憶媒体４０４に接続されている。機械読み取り可能命令４０６は、プロセッサ４０２上で実行可能であり、図２または図３に示したタスクなどの、無線局４００に関連するタスクを実行する。無線局４００は、ＲＦ（radio  frequency）リンクなどの無線リンクを介して通信するインタフェース４０８も含む。
【００２６】
機械読み取り可能命令４０６は、プロセッサ４０２に、実行のためロードされる。プロセッサには、マイクロプロセッサ、マイクロコントローラ、プロセッサモジュールまたはサブシステム、プログラマブル集積回路、プログラマブルゲートアレイ、その他の制御またはコンピューティングデバイスを含む。
【００２７】
データと命令はそれぞれの記憶デバイスに格納される。記憶デバイスは、１つ以上のコンピュータ読み取り可能記憶媒体または機械読み取り可能記憶媒体として実施される。記憶媒体には、異なる形式のメモリが含まれ、例えば、ＤＲＡＭ（dynamic  random  access  memories）、ＳＲＡＭ（static  random  access  memories）、ＥＰＲＯＭ（erasable  and  programmable  read-only  memories）、ＥＥＰＲＯＭ（electrically  erasable  and  programmable  read-only  memories）、及びフラッシュメモリなどの半導体メモリデバイス；固定ディスク、フレキシブルディスク、及びリムーバブルディスクなどの磁気ディスク；テープなどのその他の磁気媒体；ＣＤ（compact  discs）やＤＶＤ（digital  video  discs）などの光媒体；またはその他のタイプの記憶デバイスが含まれる。上記の命令は、１つのコンピュータ読み取り可能または機械読み取り可能記憶媒体上に設けることができ、あるいは、場合によっては複数のノードを有する大規模システム中に分散した複数のコンピュータ読み取り可能または機械読み取り可能記憶媒体上に設けてもよい。かかるコンピュータ読み取り可能または機械読み取り可能記憶媒体は、製品（article）または製造品（article  of  manufacture）の一部であると考えられる。製品または製造品は製造された任意の単数または複数のコンポーネントを指し得る。
【００２８】
以上、本開示を理解してもらうために詳細事項を説明した。しかし、これらの詳細事項の一部または全部がなくても実施可能である。他の実施形態は、上記の詳細事項の修正や変形を含み得る。添付した特許請求の範囲は、かかる修正や変形を含むものである。
【図１】
0005746157.tif 000002
【図２】
0005746157.tif 000003
【図３】
0005746157.tif 000004
【図４】
0005746157.tif 000005